【手続補正書】
【提出日】平成15年10月30日(2003.10.30)
【手続補正１】
【補正対象書類名】明細書
【補正対象項目名】全文
【補正方法】変更
【補正の内容】
【発明の名称】紙幣鑑別装置
【特許請求の範囲】
【請求項１】フレームと、フレーム内に形成されかつ紙幣が通過する搬送通路と、搬送通路の一端に設けられた入口から挿入された紙幣を搬送通路に沿って搬送通路の他端に設けられた出口に搬送する搬送モータを備えた搬送装置と、搬送通路に隣接して配置された鑑別センサと、鑑別センサの出力に基づいて紙幣の真贋を判定すると共に、搬送装置に駆動信号を付与する判別搬送制御回路とを備えた紙幣鑑別装置において、
ダウンロードプログラムを内蔵した判別搬送制御回路にそれぞれ接続された入力端子及び出力端子と、
判別搬送制御回路を通常モードからマスターモードに切り換えるマスターモード設定手段と、
判別搬送制御回路を通常モードからダウンロードモードに切り換えるダウンロードモード設定手段と、
判別搬送制御回路に設けられかつダウンロードプログラム及びダウンロード情報を書込可能な記憶手段とを備え、
マスターモード設定手段の作動により通常モードからマスターモードに切り換えられた判別搬送制御回路は、ダウンロードプログラムに従ってダウンロード情報を出力端子に接続された他の判別搬送制御回路に送出し、
ダウンロードモード設定手段の作動により他の判別搬送制御回路は、通常モードからダウンロードモードに設定され、
マスターモードの判別搬送制御回路の出力端子及びダウンロードモードの判別搬送制御回路の入力端子を通じて、ダウンロードプログラムに従ってマスターモードの判別搬送制御回路からダウンロード情報がダウンロードモードに設定された他の判別搬送制御回路の記憶手段に書き込まれることを特徴とする紙幣鑑別装置。
【請求項２】他の判別搬送制御回路をダウンロードモードに切り換えた後に、マスターモードに切り換えた判別搬送制御回路の起動手段を作動したときに、他の判別搬送制御回路へのダウンロード情報の書込が開始される請求項１に記載の紙幣鑑別装置。
【請求項３】判別搬送制御回路は、ダウンロードプログラムを格納しかつ実行するＣＰＵマスクＲＯＭを含み、ダウンロードプログラムを記憶しかつダウンロードプログラム及びダウンロード情報を書込可能なフラッシュメモリ若しくはＥＰＲＯＭにより構成されるメモリに接続される請求項１に記載の紙幣鑑別装置。
【請求項４】ダウンロード情報はダウンロードプログラムの情報を含む請求項１に記載の紙幣鑑別装置。
【請求項５】マスターモード設定手段、ダウンロードモード設定手段及び起動手段は、それぞれマスターモード設定スイッチ、ダウンロードモード設定スイッチ及び起動スイッチである請求項２に記載の紙幣鑑別装置。
【発明の詳細な説明】
【０００１】
【発明の属する技術分野】
この発明は、紙幣鑑別装置、特にマスタ・スレーブ・システムとして新しい動作プログラムを容易に書き込むことができる紙幣鑑別装置に関連する。
【０００２】
【従来の技術】
紙幣鑑別装置は自動販売機、券売機又は両替機等の種々の紙幣処理装置に使用されている。紙幣鑑別装置は入口に挿入された紙幣を検出して搬送装置を駆動し、紙幣を移動しながら鑑別センサにより紙幣の光学的特性又は磁気的特性を検出する。検出した光学的特性又は磁気的特性を所定のパターンと比較してこれらが一致したときに、真紙幣と判断し、搬送装置により紙幣を更に移動し、スタッカ装置内に収納する。検出した光学的特性又は磁気的特性を所定のパターンと比較してこれらが一致しないと、搬送装置を逆転して紙幣を入口に返却する。
【０００３】
紙幣鑑別装置には鑑別センサから送出された電気信号に基づいて紙幣の真贋を判定すると共に、紙幣を移動する搬送装置及び真札と判断した紙幣を収納するスタッカ装置を駆動するため、鑑別制御プログラムを書き込んだマイクロコンピュータが使用され、パーソナルコンピュータ等の外部電子計算機からデータをマイクロコンピュータに転送してダウンロードを行っている。例えば、紙幣鑑別装置のマイクロコンピュータに紙幣鑑別ソフトウェアのインストールを次の手順により行っていた。
【０００４】
まず、ダウンロード用のプログラムをインストールしたパーソナルコンピュータと紙幣鑑別機のマイクロコンピュータとを電気的に接続し、紙幣鑑別機をダウンロードモードに切り替えて、パーソナルコンピュータの動作プログラムを起動する。次に、パーソナルコンピュータのメニュー画面でダウンロードを選択して、紙幣鑑別機にファイルを送信し、ファイル送信が完了したときに、紙幣鑑別機の電気的接続を分離し、他の紙幣鑑別機をパーソナルコンピュータに接続してダウンロードを繰り返す。
【０００５】
【発明が解決しようとする課題】
前記のように、従来では紙幣鑑別機のダウンロード作業の都度、ダウンロードのツールとして特定のパーソナルコンピュータ又は専用のツールが必要となる欠点がある。また、納入済み機器のソフトウェアのバージョンをアップするときに、ダウンロードする場所が異なる場合、複数台のパーソナルコンピュータを準備しかつ移動する必要が生ずるため、ユーザにとりダウンロードが不便であった。また、新たな鑑別制御プログラムを書き込んだＲＯＭを交換する方法もあるが、ＲＯＭの交換の際に、紙幣鑑別機の基板を取り出してＲＯＭを交換しなければならないため、作業が煩瑣であると共に、作業中に外部の物体に接触した新しいＲＯＭが一瞬の内に電気的又は機械的損傷を受けて使用できなくなる事故が発生する場合があった。
そこで、この発明は、ダウンロードを容易に行える紙幣鑑別装置を提供することを目的とする。
【０００６】
【課題を達成するための手段】
この発明による紙幣鑑別装置(10)は、フレーム(30,31)と、フレーム(30,31)内に形成されかつ紙幣が通過する搬送通路(13)と、搬送通路(13)の一端に設けられた入口(12)から挿入された紙幣を搬送通路(13)に沿って搬送通路(13)の他端に設けられた出口(14)に搬送する搬送モータ(42)を備えた搬送装置(16)と、搬送通路(13)に隣接して配置された鑑別センサ(20〜26)と、鑑別センサ(20〜26)の出力に基づいて紙幣の真贋を判定すると共に、搬送装置(16)に駆動信号を付与する判別搬送制御回路(40)とを有する。この紙幣鑑別装置(10)は、ダウンロードプログラムが内蔵された判別搬送制御回路(40)にそれぞれ接続された入力端子(46)及び出力端子(44)と、判別搬送制御回路(40)を通常モードからマスターモードに切り換えるマスターモード設定手段(48)と、判別搬送制御回路(40)を通常モードからダウンロードモードに切り換えるダウンロードモード設定手段(49)と、判別搬送制御回路(40)に設けられかつダウンロードプログラム及びダウンロード情報を書込可能な記憶手段(43)とを備えている。マスターモード設定手段(48)の作動により通常モードからマスターモードに切り換えられた判別搬送制御回路(40)は、ダウンロードプログラムに従ってダウンロード情報を出力端子(44)に接続された他の判別搬送制御回路(40)に送出する。ダウンロードモード設定手段(49)の作動により他の判別搬送制御回路(40)は、通常モードからダウンロードモードに設定され、マスターモードの判別搬送制御回路(40)の出力端子(44)及びダウンロードモードの判別搬送制御回路(40)の入力端子(46)を通じて、判別搬送制御回路(40)内に設けられたダウンロードプログラムに従ってマスターモードの判別搬送制御回路(40)からダウンロード情報がダウンロードモードに設定された他の判別搬送制御回路(40)の記憶手段(43)に書き込まれる。
【０００７】
この発明の実施の形態では、他の判別搬送制御回路(40)をダウンロードモードに切り換えた後に、マスターモードに切り換えた判別搬送制御回路(40)の起動手段(47)を作動したときに、他の判別搬送制御回路(40)へのダウンロード情報の書込が開始される。判別搬送制御回路(40)は、ダウンロードプログラムを格納しかつ実行するＣＰＵマスクＲＯＭを含み、ダウンロードプログラムを記憶しかつダウンロードプログラム及びダウンロード情報を書込可能なフラッシュメモリ若しくはＥＰＲＯＭにより構成されるメモリに接続される。ダウンロード情報はダウンロードプログラムの情報を含む。マスターモード設定手段(48)、ダウンロードモード設定手段(49)及び起動手段(47)は、それぞれマスターモード設定スイッチ、ダウンロードモード設定スイッチ及び起動スイッチである。
【０００８】
判別搬送制御回路のダウンロードの際に、既にダウンロードの完了したマスターモード側の紙幣鑑別装置(10)の判別搬送制御回路(40)をダウンロードの完了していないダウンロードモード側の紙幣鑑別装置(10)の判別搬送制御回路(40)に接続して、ダウンロードモード側の判別搬送制御回路(40)にダウンロードを行い、ダウンロードモード側の紙幣鑑別装置(10)の判別搬送制御回路(40)をマスターモード側として使用することができる。
【０００９】
ダウンロードを行う場合に、ダウンロードプログラムをインストールしたマスターモード側の判別搬送制御回路(40)に接続された出力端子(44)をダウンロードモード側の判別搬送制御回路(40)の入力端子(46)に接続した後、ダウンロードモード側の判別搬送制御回路(40)のダウンロードモード設定手段(49)を作動して、ダウンロードモード側の判別搬送制御回路(40)をダウンロードモードに切り替える。次に、マスターモード側の判別搬送制御回路(40)のマスターモード設定手段(48)を作動すると、マスターモード側の判別搬送制御回路(40)のダウンロードプログラムに従って記憶手段(43)に記憶されたダウンロード情報が読み出され、マスターモード側の出力端子(44)及びダウンロードモード側の入力端子(46)を通じてダウンロードモード側の判別搬送制御回路(40)の記憶手段(43)内にダウンロード情報が記憶されて、インストールが行われる。この場合に、マスターモード設定手段(48)によりマスターモード側の判別搬送制御回路(40)をマスターモードに切り換えた後に起動手段(47)を操作してインストールを開始してもよい。インストールの動作中に、マスターモード側の判別搬送制御回路(40)に記憶されたダウンロードプログラム自体もマスターモード側の出力端子(44)及びダウンロードモード側の入力端子(46)を通じてダウンロードモード側の判別搬送制御回路(40)の記憶手段(43)内に記憶されるため、ダウンロードモード側の紙幣鑑別装置(10)の判別搬送制御回路(40)をマスターモード側として使用することができる。ダウンロードモード側の判別搬送制御回路(40)の記憶手段(43)が既にプログラムを記憶した状態でダウンロードを行うと、既に記憶したプログラムは消去され、ダウンロードによって新たにダウンロードプログラムを記憶することができる。
【００１０】
【発明の実施の形態】
以下、この発明による紙幣鑑別装置の実施の形態を図１〜図５について説明する。
図１及び図２に示すように、この発明による紙幣鑑別装置１０は、搬送通路１３に隣接して配置された磁気ヘッド又はホール素子からなる磁気センサ２０と、発光ダイオードと受光トランジスタのホトカップリングにより構成される光学センサ２１〜２６とを備えている。磁気センサ２０及び光学センサ２１〜２６は搬送通路１３に隣接して配置された鑑別センサを構成し、鑑別モードにある判別搬送制御回路４０は鑑別センサの出力に基づいて紙幣の真贋を判定すると共に搬送装置１６に駆動信号を付与する。図１に示すように、搬送通路１３は駆動プーリ１７に捲回された搬送ベルト１５を備えた搬送装置１６によって構成される。磁気センサ２０は紙幣の所定の位置に印刷された磁性インキを検出する。光学センサ２１〜２３は入口１２に隣接して配置され、赤外線による紙幣の光学的透過パターンを検出する。例えば、光学センサ２２は紙幣鑑別装置１０の下部フレーム３０に固定された発光ダイオード２２ａと、上部フレーム３１に固定された受光トランジスタ２２ｂとを備えている。図示しないが、上部フレーム３１は下部フレーム３０に軸着され、下部フレーム３０に対して上部フレーム３１を開放することにより、搬送通路１３内でジャミングした紙幣を容易に除去することができる。下部フレーム３０と上部フレーム３１はフレームを構成する。光学センサ２４及び２５は発光ダイオードと受光トランジスタがケース内で並行に配置された構造を有し、それぞれ紙幣の裏面及び表面で反射した光を受光する。光学センサ２６は赤外線の透過パターンにより紙幣の位置及び通過を検出し、下部フレーム３０に固定された発光ダイオード２６ａと、上部フレーム３１に固定された受光トランジスタ２６ｂとを備えている。押圧ローラ２７は紙幣を磁気センサ２０に対して押圧する。搬送ベルト１５が捲回された駆動プーリ１７は下部フレーム３０に取り付けられ、駆動プーリ１７に対向して上部フレーム３１に紙幣を駆動ベルト１５に対して押圧するローラ３２、３３が回転可能に取り付けられる。光学センサ２５の後部には紙幣の通過を検出するレバー３４が軸３５に回転可能に取り付けられる。レバー３４の一端はばね３６により付勢され、レバー３４の他端は搬送通路１３内に突出する。紙幣が搬送通路１３を通過すると、レバー３４がばね３６の弾力に抗して時計方向に回転され、紙幣等の通過を許容する。このとき、レバー３４の回転はホトカップラを有するレバーセンサ３７により検出される。
【００１１】
紙幣鑑別装置１０の上部にスタッカ１１が固定され、紙幣鑑別装置１０とスタッカ１１は入口１２から投入される紙幣を紙幣鑑別装置１０の出口１４まで移動する搬送通路１３により連絡される。
【００１２】
図３に示すように、磁気センサ２０、光学センサ２１〜２６及びレバーセンサ３７は増幅回路３９を介して判別搬送制御回路４０の対応する入力端子４６に接続され、判別搬送制御回路４０の対応する出力端子４４は搬送装置１６のモータ制御回路４１に接続される。モータ制御回路４１は搬送モータ４２を駆動制御する出力を発生する。
【００１３】
詳細には図示しないが、ワンチップマイクロコンピュータ又はディスクリート回路により構成された判別搬送制御回路４０は、磁気センサ２０の出力を受信して紙幣の所定の位置に印刷されたインキの磁気成分を検出する磁気検出回路と、所定の磁気パターンを記憶した磁気パターン記憶回路とを備えている。比較手段は磁気検出回路の出力と磁気パターン記憶回路の情報とを比較してこれらが一致したときに搬送装置１６のモータ制御回路４１に出力を送出し、モータ制御回路４１は搬送モータ４２に駆動信号を付与して紙幣を出口１４に移動する。
【００１４】
図３に示すように、判別搬送制御回路４０は、ダウンロードプログラムを記憶しかつダウンロードプログラム及びダウンロードプログラム自体を情報として含むダウンロード情報を書込可能なフラッシュメモリ４３（記憶手段）と、フラッシュメモリ４３に接続されかつダウンロードプログラムを格納しかつ実行する記憶及び演算可能なＣＰＵマスクＲＯＭ４５とを備えている。ＣＰＵマスクＲＯＭ４５には、フラッシュメモリ４３と、出力端子４４と、ＣＰＵマスクＲＯＭ４５を鑑別モードである通常モードからダウンロードモードに切り替える起動手段となる起動スイッチ４７と、ＣＰＵマスクＲＯＭ４５を通常モードから読出モードに切り替えるマスターモード設定手段となるマスターモード設定スイッチ４８と、ＣＰＵマスクＲＯＭ４５を通常モードからダウンロードモードに切り替えるダウンロードモード設定手段としてのダウンロードモード設定スイッチ４９とが接続される。マスターモード側の判別搬送制御回路４０は、マスターモード設定スイッチ４８によりマスターモードに切り換えられた後、起動スイッチ４７の作動によりダウンロードプログラムに従って、出力端子４４に接続されかつダウンロードモード設定スイッチ４９によりダウンロードモードに切り換えられたダウンロードモード側の他の判別搬送制御回路４０に対するダウンロード情報を送出する。判別搬送制御回路４０は、ダウンロードプログラムが作動され、入力端子４６に接続された他の判別搬送制御回路４０からダウンロード情報をフラッシュメモリ４３書き込む。
【００１５】
判別搬送制御回路４０のダウンロードの際に、パーソナルコンピュータを使用して、ダウンロードするためのマスターモード側機能の新規なプログラムをマスターモード側のフラッシュメモリ４３に予めインストールしておく。別法としてＣＰＵボード上のフラッシュメモリ４３をＥＰＲＯＭに置き換えたＣＰＵボードを有する場合はＥＰＲＯＭを交換しておく。既にダウンロードの完了したマスターモード側の紙幣鑑別装置１０の判別搬送制御回路４０をダウンロードの完了していないダウンロードモード側の紙幣鑑別装置１０の判別搬送制御回路４０に接続して、ダウンロードモード側の判別搬送制御回路４０にダウンロードを行い、ダウンロードモード側の紙幣鑑別装置１０の判別搬送制御回路４０をマスターモード側として使用することができる。即ち、図４に示すように、実際にダウンロードを行う場合に、ダウンロードプログラムをインストールしたマスターモード側の判別搬送制御回路４０に接続された出力端子４４をダウンロードモード側の判別搬送制御回路４０の入力端子４６に接続する。この場合、マスターモード側の判別搬送制御回路４０の代わりに動作プログラムを格納した外部の記憶演算手段の出力端子を入力端子４６に接続してもよい。次に、ダウンロードモード側の判別搬送制御回路４０のダウンロードモード設定スイッチ４９をオンに作動して、ダウンロードモード側の判別搬送制御回路４０をダウンロードモードに切り替える。マスターモード側のＣＰＵマスクＲＯＭ４５とダウンロードモード側のＣＰＵマスクＲＯＭ４５及びマスターモード側のフラッシュメモリ４３とダウンロードモード側のフラッシュメモリ４３の内容は同一である。このように、一方の紙幣鑑別装置１０をマスタ機として他の紙幣鑑別装置をスレーブ機として通信ラインを接続する。マスタ機はＣＰＵボードのみでも可能である。
【００１６】
マスターモード側とダウンロードモード側とを接続した状態でダウンロードを決定したとき、マスターモード側の判別搬送制御回路４０のマスターモード設定スイッチ４８を作動すると、マスターモード側の判別搬送制御回路４０のダウンロードプログラムに従って記憶手段としてのフラッシュメモリ４３内に記憶されたダウンロード情報が読み出され、マスターモード側の出力端子４４及びダウンロードモード側の入力端子４６を通じてダウンロードモード側の判別搬送制御回路４０の記憶手段を構成するフラッシュメモリ４３内にダウンロード情報が記憶されて、インストールが行われる。この場合に、マスターモード側の判別搬送制御回路４０のフラッシュメモリ４３に記憶されたダウンロードプログラム自体もマスターモード側の出力端子４４及びダウンロードモード側の入力端子４６を通じてダウンロードモード側の判別搬送制御回路４０のフラッシュメモリ４３内に記憶されるため、その後、ダウンロードモード側の紙幣鑑別装置１０の判別搬送制御回路４０をマスターモード側として使用することができる。ダウンロードモード側の判別搬送制御回路４０のフラッシュメモリ４３が既にプログラムを記憶した状態でダウンロードを行うと、既に記憶したプログラムは消去され、ダウンロードによって新たにダウンロードプログラムを記憶することができる。これにより、マスターモード側の判別搬送制御回路４０のフラッシュメモリ４３からダウンロードモード側のＣＰＵマスクＲＯＭ４５を通じてダウンロードモード側のフラッシュメモリ４３に動作プログラムがインストールされ、インストールが完了するとダウンロードが完了する。このため、ダウンロードモード側の入力端子４６及びＣＰＵマスクＲＯＭ４５及びフラッシュメモリ４３に新たな動作プログラムを記憶することができる。
【００１７】
前記の構成において、判別搬送制御回路４０は図４のフローチャートに示す動作シーケンスに従って作動される。
【００１８】
ステップ５０のスタートからステップ５１に進み、判別搬送制御回路４０は、紙幣鑑別モードか否か判断する。紙幣鑑別モード（通常モード）のとき、判別搬送制御回路４０はステップ５２において光学センサ２１〜２３のいずれかがオンしたか否か判断する。いずれもオフ状態の場合は、ステップ５０に戻る。ステップ５２において紙幣等の紙葉が挿入口１２に投入されると、光学センサ２１〜２３のいずれかが紙葉の挿入を検出して、オンしたときにステップ５３において判別搬送制御回路４０はモータ制御回路４１に出力を送出して搬送モータ４２を正転する。これにより、搬送装置１６の駆動プーリ１７が図１において時計方向に回転して、搬送ベルト１５が駆動され、紙葉が磁気センサ２０に向かって移動される。次に、ステップ５４において、磁気センサ２０は紙葉に磁気成分が存在するか否か判断する。紙葉に磁気成分が存在すると、紙幣が挿入口に投入されたと判断してステップ５５において判別搬送制御回路４０は磁気センサ２０の信号を受信する。紙幣から得られる磁性体の信号は複数の信号として判別搬送制御回路４０内に記録される。ステップ５６において搬送モータ４２の作動が停止され、判別搬送制御回路４０は受信した磁気検出信号が磁気パターン記憶回路内に記憶された所定の磁気パターンと一致するか否か判断することにより、投入された紙幣が真正か否か判断（ステップ５７）し、磁気検出信号に基づいて紙幣の真贋を判定する場合に、光学センサ２１〜２３から得られる紙幣の光学的透過パターンにより真贋を判定する手段を追加してもよい。
【００１９】
その後、ステップ５８において判別搬送制御回路４０は紙幣が所定の金種であるか否かを判断し、所定の金種であるときはステップ５９において搬送モータ４２を更に正転する。紙幣がレバー３４を通過すると、レバーセンサ３７がレバー３４の回転を検出し、ステップ６０においてレバーセンサ３７がオフとなる。紙幣がレバー３４を完全に通過した後、判別搬送制御回路４０は搬送モータ３２の作動を停止してステップ６１から７１に進む。
【００２０】
ステップ５７において投入された紙幣が真正な紙幣でないとき又はステップ５８において紙幣が所定の金種でないとき、ステップ６２に進み判別搬送制御回路４０は搬送モータ４２を逆転して紙幣を挿入口１２に戻し、ステップ６３において光学センサ２１〜２３がオフに切り換えられたときにステップ６１において搬送モータ４２の作動を停止した後、ステップ７１に進む。ステップ５４において、投入された紙葉から磁性成分が検出されないとき、ステップ６２に進む。
【００２１】
ステップ５１において、判別搬送制御回路４０は紙幣鑑別モード（通常モード）でないときステップ６４に進み、ダウンロードモードか否か判断し、ダウンロードモードでないときはステップ５０に戻る。ステップ６４において、マスターモード側の判別搬送制御回路４０は、マスターモード設定スイッチ４８がオンされ、紙幣鑑別を行う通常モードからダウンロードを行うマスターモードに切り換えられると、ステップ６５に進み、ダウンロードモード側の判別搬送制御回路４０のダウンロードモード設定スイッチ４９をオンして、通常モードからダウンロードモードに切り換える。続いて、ステップ６６において、マスターモード側の起動スイッチ４７がオンされ、ダウンロードプログラムが起動する（ステップ６７）。ダウンロードプログラムが起動すると、マスターモード側のＣＰＵマスクＲＯＭ４５がフラッシュメモリ４３から読み出した読出プログラムを起動する。ステップ６８及び６９では、マスターモード側の判別搬送制御回路４０のフラッシュメモリ４３からダウンロードモード側のＣＰＵマスクＲＯＭ４５を通じてダウンロードモード側のフラッシュメモリ４３に動作プログラムがインストールされ、インストールが完了するとダウンロードが完了する（ステップ７０）。
【００２２】
本実施の形態では下記の作用効果が得られる。
［１］  ダウンロードを行う際、ダウンロードツールとしてのパーソナルコンピュータ及び専用のハンディダウンロードツールが不要となる。
［２］  専用のパーソナルコンピュータを使用しないため、フィールドでのダウンロードを極めて容易に行うことができる。
［３］  紙幣鑑別装置自体をダウンロードツールとして使用できるため、マスタ機を容易に準備でき、１台のマスタ機となる紙幣鑑別装置から複数のマスタ機となる紙幣鑑別装置を作ることができる。
［４］  紙幣鑑別装置のソフトウェアのバージョンアップが容易となり、紙幣鑑別装置の動作シーケンス又は通常モードを容易に変更することができる。
［５］  単数のマスターモード側判別搬送制御回路４０から複数のダウンロードモード側判別搬送制御回路４０に同時にダウンロードを行うことができる。
この発明の実施の形態は前記の例に限定されず、変更が可能である。例えば、マスターモード設定手段、ダウンロードモード設定手段及び起動手段を、それぞれマスターモード設定スイッチ、ダウンロードモード設定スイッチ及び起動スイッチとして示したが、特定の信号を入力したとき又は特殊なセンサで所定の信号を検出したときに、読出若しくは書込を開始し又はモードを変更するようにプログラム制御してもよい。フラッシュメモリ４３の代わりにＥＰＲＯＭを使用してもよい。ＣＰＵマスクＲＯＭ４５の代わりに、ＣＰＵとマスクＲＯＭとを複数のＩＣにより別体で構成してもよい。
【００２３】
【発明の効果】
この発明では紙幣鑑別装置のダウンロードを容易に行うことができ、ダウンロード操作を円滑かつ効率的に行うことができる。
【図面の簡単な説明】
【図１】この発明による紙幣鑑別装置の断面図
【図２】上部フレームを除去した図１の紙幣鑑別装置の平面図
【図３】図１の紙幣鑑別装置を駆動する電気回路図
【図４】マスターモード側とダウンロードモード側の判別搬送制御回路を接続した状態を示すブロック図
【図５】図４に示す判別搬送制御回路にダウンロードを行う動作シーケンスを示すフローチャート
【符号の説明】
１０・・紙幣鑑別装置、  １２・・入口、  １３・・搬送通路、  １４・・出口、  １６・・搬送装置、  ２０・・磁気センサ、  ２１〜２６・・光学センサ、  ４０・・判別搬送制御回路、  ４３・・フラッシュメモリ（記憶手段）、  ４４・・出力端子、  ４５・・ＲＯＭ、  ４６・・入力端子、  ４７・・起動スイッチ（起動手段）、  ４８・・マスターモード設定スイッチ（マスターモード設定手段）、  ４９・・ダウンロードモード設定スイッチ（ダウンロードモード設定手段）、